(57)【要約】【課題】  外環となる包持部材と嵌合補助部材を、直交させたパイプ（３）と組み合わせて一体化し、支持部の分担及び力の多元化によってリスクを低減、安全性の向上を図った、締結・開放自在の組合せ形パイプ連結具を提供すること。【解決手段】嵌合補助部材（１）に持ち受け溝（１ａ）、（１ｂ）を設け、その持ち受け溝（１ａ）を跨いで貫通するように雌ねじ（１ｃ）及び六角穴付止めねじ（１ｄ）を設け、外環となり緊束できるよう、これと一対になる包持部材（２）を設けたことを特徴とする。【選択図】  図１
2005194854.tif 000002
【特許請求の範囲】
【請求項１】
鐙縛りにおける支持輪部分と同形の外枠を形作る包持部材と、その枠内でパイプが直交して緊結できるよう、背復両面に持ち受け溝を設けた肉厚の硬質材料本体上面から、持ち受け溝を跨いで左右対称に貫通するように雌ねじ及び六角穴付止めねじを設け、伸長圧迫することで摩擦固定する嵌合補助部材からなる構成を特徴とする組合せ形パイプ連結具。
【発明の詳細な説明】
【発明の詳細な説明】
【技術分野】
【０００１】  本発明は直交させた管体間に嵌合補助部材を組み入れて持ち受け、これに設けたねじの貫入進行によって伸長押圧がなるよう配しおいた外郭をなす包持部材によって括結する、締結・開放自在のパイプ連結具に関するものである。
【背景技術】
【０００２】  従来、パイプを直交連結する器具のうち、仮足場等、将来の移動や撤去、構成の変更の際の便利さに重点を置き、緊結・開放自在なことを重視した物には、蝶番によって旋回する顎部を有するＣ形外嵌部からなる把持器を、基部において背中合わせにビスなどによって結合し、相互に節点でのみ支持しあうものが主流であった。留め付けには回転式ボルトナット、引き付けバックル等さまざまなものが案出されたが、いずれも支持の可否は、口金の締結金具一点の保持能力に全てが委ねられる形態でなされ、プレス加工による強度向上に相応する立体的な嵩を有した、管体に対して付帯して用いる独立した外嵌具であって、被連結材同士が相互に組み材料として構成され安定に貢献することは無かった。
最も普及している回転式ボルトナットタイプでは、開放時ナットの実際の脱落を防ぐ以上に、作業員の部品取り落としへの配慮から来る作業能率の低下を回避するべく必要以上に長いボルトを設け、これが固定時突出した。
工事用具としての視点からのみ発想されたその形状は、迅速な緊結・開放を達成するにもかかわらず、同様な能力を求められるユニット家具の連結部材等に流用、利用されることは無かった。
【発明が解決しようとする課題】
【０００３】  いずれも共通して横棒を水平に把握する構造上、上下いかに用いようとも、口金の隙間が横棒の流れにそって開き、蝶番の開閉方向もこれに一致する上、最も弱い口金の締め金具一点で隙間の脱落防止材をも兼ねながら、その保持能力に全てが委ねられる形で把持がなされる欠点があった。加えて、強度を維持するための立体的なパーツより成る、相応の嵩を有した、付帯して用いる独立性の強い外嵌具であって、管体の流れに逆らい大きく張り出した。
最も普及しているボルトナットタイプでは、ほぼ横軸に対して垂直に向いた顎先の口金の切り込みにボルトを渡してナットで締め付ける形で使用され、この係留機構の突出に起因するパーツ間の干渉や、擦過傷、衣服の引っかかりによる事故等が指摘され、危険を軽減するために一回り大きいプラスチック製のカバーも販売されている。又、本来埋め込み側にあたるねじ部分が露出するため、着脱自在の便利さから代替品が見当たらないにもかかわらず、工具然とした外観は居住空間で利用するには忌避されるものとなっていた。
引き付けバックル形も考案されたが、締結の容易さに比例して開放されやすくなる不安があり、部品の増加に伴いコストの上昇も避けられなかった。
本発明はこれらの欠点を除くと同時に、その流れに沿って管体間に組み込まれて邪魔にならず、簡便迅速な着脱と緊結能力を兼ね備えた高い安全性を有する、組合せ形パイプ連結具を提供することを目的とする。
【課題を解決するための手段】
【０００４】  上記目的を達成するため本発明は、円柱状の長尺物を直交連結する際の最も代表的な切欠きとして信頼性の高い、ラウンドノッチ（円形切欠き）における嵌合部位の役割を独立させた嵌合補助部材に担わせ、欠き込みやそれに類する加工によるパイプや棒材の弱体化を招くことなく組子として管体間にあって形状に沿って一体化を図り、持ち受け溝を跨いで設けられた六角穴付止めねじによって伸長圧迫とねじ先による爪留めが達成されると同時に包持部材によって緊束、締結・開放自在とするべく構成する。
【発明を実施するための最良の形態】
【０００５】  以下、本発明の実施の形態について説明する。
嵌合補助部材（１）に持ち受け溝（１ａ）及び（１ｂ）を設け、その持ち受け溝（１ａ）を跨いで貫通するように雌ねじ（１ｃ）及び六角穴付止めねじ（１ｄ）を設け、この六角穴付止めねじ（１ｄ）の貫入進行によって、嵌合補助部材（１）が直交連結するパイプ（３）間にあって伸長押圧し締結・開放自在となるよう配しおいた外郭をなす包持部材（２）によって括結する。包持部材は固定時、鐙縛りの支持輪部分と同様の屈曲した環を形作り得るワイヤー、各種金属等、破損・損耗しにくい物ならば良く、嵌合補助部材もこれと同じく、硬度が高く上述通り押圧・支持可能な物ならば金属・硬質プラスチック等でも良い。
【発明の効果】
【０００６】  上記のように構成したので、口金の締結金具一点の性能に把持成否の全てが集約される形から、管体同士が組子として緊密に結び合い一体化される中で支持部間の負担均衡と力の多元化を図り、その結果としてリスクが分散減少して安全性の向上につながった。
加えて従来別作業であった縦棒と横棒の固定を同時に行えるようになり、締め付け箇所は同じく二箇所あるとは言え、二つのクランプを締めるという二回の別個の作業から、一方のねじでも簡単に固定されるものを、もう一方でバランスを取りながら接触面を増やし摩擦力を上げ、より確かな固定を図るための一工程中の作業進度の違いへと質的に変化させ、作業を一元化することで確認の負担を軽減できるようになった。又、この片ねじの貫入進行で簡単に位置決めできる機能は、管体に沿うように細長く設けられたために手にも馴染みやすい嵌合補助部材、環状ゆえ指等に掛けて取り落とししにくい包持部材ともども不安定な箇所や姿勢での作業に最適である。
ねじ先が覗く程度で、嵌合補助部材の肉厚がほぼねじの長さに重なって設けられているため、僅かなねじの進行により固定・開放が迅速に成立する上、雌ねじに雄ねじのねじ部分がほぼ全て収まった形での使用となり、棒状の物体にとって危険な剪断力から護られ、ねじのぐらつきや歪みが生じにくく、安定感のある動作が長期に亘って可能である。
欠き込みやそれに準ずる加工によって被連結部材を損なうことなく、その形状を活かした括結と組み木風の嵌着によって付帯物としての外嵌具とは異なるスマートな外観で邪魔にならず、締結・開放自在に使用できる。
例えば嵌合補助部材は金属・硬質プラスチック等、硬度が高く破損・損耗しにくいものならば良く、周囲に合わせて種々な素材の選択が可能である。包持部材も材料をワイヤーグリップで締結したワイヤーを輪にしたものを用いれば軽く、一層管体にフィットして縛束するのに似た効果と利便性が得られ、堅剛な金属線材又は鋳造によって、鐙縛り時、被縛される物品に直接捲結する支持輪部分と同様の屈曲した環をあらかじめ作っておけば、歪みの許されないさらなる堅牢さが求められる場面で重厚緊密な組み木状構成の齎す頑強さと安心感を得られる。
手摺り等の横バーと組み合わせれば、片持ち梁を簡単に作ることが出来、これを数本組み合わせて天板等を設ければ、施工時から計画しておかなくては家庭ではなかなか難しかった突支の無い、中空に架設したようなスタイルでインテリア性の高い棚等を容易に設けることが出来る。
室内に用いるには忌避されがちな建設材然とした外観を廃しつつそこで求められる簡便迅速で強力な締結・開放機能はそのままに構成したため、ユニット家具の部品としても有効である。
ユニット家具の位置づけも以前とは異なり、安さを売りとした一時使用目的のものから、堅牢性を備えつつ、より自分の好みに合った家具作りを叶えるものや、あるいは転居や利用目的の変化に応じて将来の配置構成の流動性を重視した、飽きの来ないシンプルなデザインの物へと軸足を変えてきており、これら無駄な装飾を排した耐久性の高い製品に対する嗜好は、エコロジー意識の高まりとも歩を一つにするものと考えられ、この傾向は今後一層の強まりをみせていくものと思われる。現在のインダストリアルデザインの現場で「形体は機能に従う」という言葉を無視することはほぼ不可能に近いと言えよう。本発明はこれらのニーズに合致し、応え得る。使用時には安定した締結機能を明示するかのように連結部が縦横どちらの流れからも上下左右対称に噛み合って安定を図る様は見た目にも美しいと同時に力強く、直感的に強固な締結機能への理解を誘い、信頼性が求められる部位で使用されるものだけに、すぐれた機能を有しながらも新奇な形状の裡に真価が埋没して消費者への訴求力を失い、その便利さや快適さを提供しえずに消えていく発明も多い中で、仮留具の選択肢の拡充と居住空間の演出に合力して、力強く新たな提案をすることができる。
シンプルな構成から安価での製造も可能であり、インテリアと建設足場用仮留具の両分野に亙って利用が期待できる。
【図面の簡単な説明】
【０００７】
【図１】  本発明の斜視図である。
【図２】  六角穴付止めねじを（ａ）は取り除いた際の、（ｂ）は装着時の、嵌合補助部材の断面図である。
【図３】  本発明の実施形態の斜視図である。
【符号の説明】
【０００８】  １・・・・嵌合補助部材
２・・・・包持部材
３・・・・パイプ
１ａ・・・持ち受け溝
１ｂ・・・持ち受け溝
１ｃ・・・雌ねじ
１ｄ・・・六角穴付止めねじ
【図１】
2005194854.tif 000003
【図２】
2005194854.tif 000004
【図３】
2005194854.tif 000005